【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
個体の生理的状態をモニタリングする方法であって、以下を含む方法：
該個体から心電計信号および心弾計信号を取得すること；
該心電計信号および該心弾計信号をコンピュータで受信すること；該コンピュータはマイクロプロセッサを含む；
該心電計信号および心弾計信号を心電計データおよび心弾計データに変換すること；
該心電計データを該心弾計データと同期すること；および
該個体の生理的状態を示す出力を発生させること。
【請求項２】
該心電計信号および心弾計信号が、該個体の該心電計信号および心弾計信号を検出し、該コンピュータへ送信することによって得られる、請求項１に記載の方法。
【請求項３】
該心電計および心弾計信号が、アナログ・デジタル変換器によって変換される、請求項１または２に記載の方法。
【請求項４】
該心弾計信号が、加速度計によって取得される、請求項１から３のいずれかに記載の方法。
【請求項５】
該加速度計が該個体の胸骨と連絡している、請求項４に記載の方法。
【請求項６】
該心電計信号が心電計によって取得される、請求項１から５のいずれかに記載の方法。
【請求項７】
該心電計データを該心弾計データと同期することには、該心電計データと対応する心電計波形のＲピークを、該心弾計データに対応する心弾計波形のＨピークと整列させることが含まれる、請求項１から６のいずれかに記載の方法。
【請求項８】
該出力は、同期した心電計波形と心弾計波形を含むものである、請求項１から７のいずれかに記載の方法。
【請求項９】
該出力は、該個体の該心電計データおよび該心弾計データと基準心電計および心弾計波形パターンデータとの比較を含むものである、請求項１から８のいずれかに記載の方法。
【請求項１０】
該出力は、少なくとも一つの安静時期の心電計信号と心弾計信号のセットと、少なくとも一つの運動後の心電計信号と心弾計信号のセットとの比較を含むものである、請求項１から９のいずれかに記載の方法。
【請求項１１】
該心電計信号を調整するため、該心電計信号を変換する前に、該心電計信号が、ハイパスカットオフ周波数が約４０Ｈｚで、ローパスフィルターが約１Ｈｚのフィルターに通される、請求項１から１０のいずれかに記載の方法。
【請求項１２】
該心弾計信号を調整するため、該心弾計信号を変換する前に、該心弾計信号が、ハイパスカットオフ周波数が約２５Ｈｚで、ローパスフィルターが約１Ｈｚのフィルターに通される、請求項１から１１のいずれかに記載の方法。
【請求項１３】
個体の生理的状態モニタリングするためのシステムであって、以下を含むシステム：
該個体に接続するための装置であって、該個体の心電計信号を検出し送信する第一の装置；
該個体に接続するための装置であって、該個体の心弾計信号を検出し送信する第二の装置；
該第一の装置および該第二の装置と連絡したマイクロプロセッサを含むコンピュータであって、該心電計信号および該心弾計信号を受信し、該心電計信号を心電計データに変換し、該心弾計信号を心弾計データに変換し、および該心電計データを該心弾計データと同期し、該個体の生理的状態を示す出力を発生するコンピュータ。
【請求項１４】
該心電計信号および該心弾計信号が、アナログ・デジタル変換器によって変換される、請求項１３に記載のシステム。
【請求項１５】
該第一の装置が加速度計を含む、請求項１３または１４に記載のシステム。
【請求項１６】
該第二の装置は心電計である、請求項１３から１５のいずれかに記載のシステム。
【請求項１７】
該マイクロプロセッサと連絡するデータベースをさらに有し、該データベースは心電計データおよび心弾計データを記憶する、請求項１３から１６のいずれかに記載のシステム。
【請求項１８】
該心電計データを該心弾計データと同期することには、該心電計データと対応する心電計波形のＲピークを、該心弾計データに対応する心弾計波形のＨピークと整列させることが含まれる、請求項１３から１７のいずれかに記載のシステム。
【請求項１９】
該出力は、同期した心電計波形と心弾計波形を含むものである、請求項１３から１８のいずれかに記載のシステム。
【請求項２０】
該出力は、該個体の該心電計データおよび該心弾計データと基準心電計および心弾計波形パターンデータとの比較を含むものである、請求項１３から１９のいずれかに記載のシステム。
【請求項２１】
該出力は、少なくとも一つの安静時期の心電計信号と心弾計信号のセットと、少なくとも一つの運動後の心電計信号と心弾計信号のセットとの比較を含むものである、請求項１３から１９のいずれかに記載のシステム。
【請求項２２】
該コンピュータは、該マイクロプロセッサと連絡したグラフィカル・ユーザー・インタフェースを含み、該グラフィカル・ユーザー・インタフェースは、操作者がデータを入力することを可能にする、請求項１３から２１のいずれかに記載のシステム。
【請求項２３】
個体の心臓機能を特徴付ける少なくとも１つのパラメータを決定する方法であって、以下を含む方法：
該個体から心電計信号および心弾計信号を取得すること；  
該心電計信号および該心弾計信号を心電計データおよび心弾計データに変換すること；
該心電計データおよび該心弾計データをコンピュータで受信すること；該コンピュータはマイクロプロセッサを含む；  
該マイクロプロセッサにより、該心電計データを該心弾計データと同期させ、少なくとも１組の同期した心電計波形および心弾計波形を提供すること；
該マイクロプロセッサにより、同期した該心電計波形および該心弾計波形から少なくとも１つの要素を識別すること。該要素は、個体の心臓機能を特徴付ける少なくとも１つの該パラメータを示す。
【請求項２４】
同期した心電計波形および心弾計波形から少なくとも１つの要素を識別することは、同期した該心電計波形および該心弾計波形におけるｈ、ｉ、ｊ、ａ、ａ１、ｇ、Ｈ、Ｉ、Ｊ、Ｋ、Ｌ、Ｍ、およびＮピークのうちの１つ以上を検知して標識することを含む請求項２３に記載の方法。
【請求項２５】
少なくとも１つの該パラメータが、ｈ、ｉ、ｊ、ａ、ａ１、ｇ、Ｈ、Ｉ、Ｊ、Ｋ、Ｌ、Ｍ、およびＮピークのうちの任意の２つの間の時間間隔、Ｈ−Ｉ波形、Ｈ−Ｉ傾斜、Ｉ−Ｊ傾斜、Ｊ−Ｋ傾斜、Ｋ−Ｌ傾斜、Ｌ−Ｍ傾斜、およびＭ−Ｎ傾斜の継続時間、Ｊピークの振幅、Ｋピークの振幅、Ｌピークの振幅、Ｍピークの振幅、Ｎピークの振幅、ｊピークの振幅、ａ１ ピークおよびｊ−ａ傾斜の振幅のうちの少なくとも１つである請求項２３または２４に記載の方法。
【請求項２６】
少なくとも１つの該パラメータが、一回拍出量、心拍出量、拡張終期容積、収縮終期容積、心室駆出率、心係数、前駆出期、心機能指標、および等容性収縮時間のうちの少なくとも１つである請求項２３または２４に記載の方法。
【請求項２７】
該心電計信号および該心弾計信号を心電計データおよび心弾計データに変換することは、アナログ・デジタル変換器によって、アナログの心電計信号および心弾計信号を、デジタルの心電計データおよび心弾計データに変換することを含む請求項２３から２６のいずれかに記載の方法。
【請求項２８】
該心弾計信号が、加速度計より得られたものである請求項２３から２７のいずれかに記載の方法。
【請求項２９】
該加速度計が、該個体の胸部に配置される請求項２８に記載の方法。
【請求項３０】
該心電計データを該心弾計データと同期させることは、 該心電計データにおける少なくとも１つの心電計波形のＲピークを、該心弾計データにおける少なくとも１つの心弾計波形のＨピークと一致させることを含む請求項２３から２９のいずれかに記載の方法。
【請求項３１】
同期した該心電計波形および該心弾計波形の少なくとも１つの要素を、基準データと比較することをさらに含む請求項２３から３０のいずれかに記載の方法。
【請求項３２】
該心電計信号および該心弾計信号を整流することをさらに含む請求項２３から３１のいずれかに記載の方法。
【請求項３３】
該整流は、該心電計信号をハイパスカットオフ周波数が約４０Ｈｚのフィルターに通すことを含む請求項３２に記載の方法。
【請求項３４】
該整流は、該心電計信号を約１Ｈｚのローパスフィルターに通すことを含む請求項３２または３３に記載の方法。
【請求項３５】
該整流は、該心弾計信号をハイパスカットオフ周波数が約２５Ｈｚのフィルターに通すことを含む請求項３２から３４のいずれかに記載の方法。
【請求項３６】
該整流は、該心弾計信号を約１Ｈｚのローパスフィルターに通すことを含む請求項３２から３５のいずれかに記載の方法。
【請求項３７】
個体の心臓機能を特徴付ける少なくとも１つのパラメータを決定するシステムであって、以下を含むシステム：
該個体の心電計信号の伝送を検知する第１のデバイス。該第１のデバイスは、心電計を含む；
該個体の心弾計信号の伝送を検知する第２のデバイス。該第２のデバイスは、加速度計を含む；
該第１のデバイスおよび該第２のデバイスと接続され、該心電計信号を心電計データに変換し、該心弾計信号を心弾計データに変換するためのアナログ・デジタル変換器；
該アナログ・デジタル変換器と接続され、該心電計データおよび該心弾計データを受信し、該心電計データを該心弾計データに同期させて同期した心電計波形および心弾計波形を提供し、同期した該心電計波形および該心弾計波形から少なくとも１つの要素を識別するように設計されたマイクロプロセッサ。該要素は、個体の心臓機能を特徴付ける少なくとも１つの該パラメータを示す；
【請求項３８】
少なくとも１つの該パラメータが、ＩピークからＬピークの間の時間間隔、Ｈ−Ｉ波形、Ｈ−Ｉ傾斜、Ｉ−Ｊ傾斜、Ｊ−Ｋ傾斜、Ｋ−Ｌ傾斜、Ｌ−Ｍ傾斜、およびＭ−Ｎ傾斜の継続時間、Ｈピークの振幅、Ｉピークの振幅、Ｊピークの振幅、Ｋピークの振幅、Ｌピークの振幅、Ｍピークの振幅、Ｎピークの振幅、ｊピークの振幅、ａ１ ピークおよびｊ−ａ傾斜の振幅のうちの少なくとも１つである請求項３７に記載のシステム。
【請求項３９】
少なくとも１つの該パラメータが、一回拍出量、心拍出量、拡張終期容積、収縮終期容積、心室駆出率、心係数、前駆出期、心機能指標、および等容性収縮時間のうちの少なくとも１つである請求項３７に記載のシステム。
【請求項４０】
該加速度計が、該個体の胸部に配置されるように設計された請求項３７から３９のいずれかに記載のシステム。
【請求項４１】
該心電計データを該心弾計データと同期させることは、 該心電計データにおける少なくとも１つの心電計波形のＲピークを、該心弾計データにおける少なくとも１つの心弾計波形のＨピークと一致させることを含む請求項３７から４０のいずれかに記載のシステム。
【請求項４２】
該マイクロプロセッサと連絡するデータベースをさらに有し、該データベースは心電計データおよび心弾計データを記憶する、請求項３７から４１のいずれかに記載のシステム。
【請求項４３】
該心電計信号および／または該心弾計信号を整流する少なくとも１つのフィルターをさらに有する請求項３７から４２のいずれかに記載のシステム。
【請求項４４】
該フィルターは、該心電計信号を整流するハイパスカットオフ周波数が約４０Ｈｚのフィルターを含むものである請求項４３に記載のシステム。
【請求項４５】
該フィルターは、該心電計信号を整流する約１Ｈｚのローパスフィルターを含むものである請求項４３または４４に記載のシステム。
【請求項４６】
該フィルターは、該心弾計信号を整流するハイパスカットオフ周波数が約２５Ｈｚのフィルターを含むものである請求項４３から４５のいずれかに記載のシステム。
【請求項４７】
該フィルターは、該心弾計信号を整流する約１Ｈｚのローパスフィルターを含むものである請求項４３から４６のいずれかに記載のシステム。